(57)【要約】【課題】本発明は野菜の支柱、農業ネットの支柱、農業ハウスの支柱等の農業用の支柱、ガーデニング、エクステリア等の園芸構造物の支柱、住宅フェンス等の軽荷重用の建築土木構造物の支柱、すなわち農業用等の支柱（以下農業用等の支柱という）の施工作業が極めて容易になる農業用等の支柱の提供を目的とする。【解決手段】本発明は以上の目的達成のために、地面に打ち込まれる支柱支持棒と、該支柱支持棒の地上部分の外周に装着される装着孔を端部に有する棒状のまたはパイプ状の支柱本体とからなる農業用等の支柱を提案するものである。【選択図】図１
2014008057.tif 000002
【特許請求の範囲】
【請求項１】
地面に打ち込まれる支柱支持棒と、該支柱支持棒の地上部分の外周に装着される装着孔を端部に有する棒状の支柱本体とからなる農業用等の支柱
【請求項２】
地面に打ち込まれる支柱支持棒と、該支柱支持棒の地上部分の外周に装着される装着孔を端部に有するパイプ状の支柱本体とからなる農業用等の支柱
【請求項３】
請求項１または２の農業ネットの支柱
【請求項４】
請求項１または２の農業ハウスの支柱
【請求項５】
請求項１または２の園芸構造物の支柱
【請求項６】
請求項１または２の建築土木構造物の支柱
【発明の詳細な説明】
【技術分野】
【０００１】本発明は野菜の支柱、農業ネットの支柱、農業ハウスの支柱等の農業用の支柱、ガーデニング、エクステリア等の園芸構造物の支柱、住宅フェンス等の軽荷重用の建築土木構造物の支柱、すなわち農業用等の支柱に関するものである。
【背景技術】
【０００２】従来において農業用の支柱は、例えば野菜の支柱の場合には木杭を所定間隔で地面に打ち込み、それらの木杭に支持させて（梁状に）横方向に竹竿を固定しさらにその竹竿に紐等で樹脂被覆の鋼パイプ（必要箇所毎に地面に浅く打ち込んである）を結合して竹竿に支持させ、該鋼パイプを野菜の支柱にする方法が行われている。
また農業ネットの支柱、農業ハウスの支柱も同様に木杭、竹竿、鋼パイプ支柱の簡易構造物で構成する方法が行われている。
しかしこの方法は農家にとって極めて大きな作業負担となり、すなわち木杭の打ち込み作業、竹竿の固定作業、鋼パイプ支柱の結合作業はいずれも負担と時間のかかる作業であった。
従って農家にとってこの農業用の支柱の施工作業が野菜栽培の、特に高齢の農家にとっての、負担になっていた。
【発明が解決しようとする課題】
【０００３】本発明は以上の従来の課題を解決し、野菜の支柱、農業ネットの支柱、農業ハウスの支柱等の農業用の支柱、ガーデニング、エクステリア等の園芸構造物の支柱、住宅フェンス等の軽荷重用の建築土木構造物の支柱、すなわち農業用等の支柱（以下農業用等の支柱という）の施工作業が極めて容易になる農業用等の支柱の提供を目的とする。
【課題を解決するための手段】
【０００４】本発明は以上の目的達成のために、地面に打ち込まれる支柱支持棒と、該支柱支持棒の地上部分の外周に装着される装着孔を端部に有する棒状のまたはパイプ状の支柱本体とからなる農業用等の支柱を提案するものである。
【発明を実施するための最良の形態】
【０００５】以下本発明の農業用等の支柱を図面に示す実施例に従って説明する。
図１は本発明の農業用等の支柱であり、該農業用等の支柱は地面に打ち込まれる支柱支持棒（１）を有する。
該支柱支持棒（１）は例えば直径（但し断面が丸い場合）５〜１６ｍｍまたはそれ以上の鋼棒、パイプ、角パイプ、先端が尖った板状のもの等を地面（９）にハンマー等で打ち込んだものである。
支柱支持棒（１）の直径は荷重の用途によって選択され、例えば単独の野菜の支柱であれば５ｍｍ、農業ハウスや鹿、猪等動物よけフェンスの支柱であれば１６ｍｍ以上（２０ｍｍ、３０ｍｍ等）を使用すればよい。
支柱支持棒（１）は例えば地下３５０ｍｍ、地上７５０ｍｍ程度、もちろん荷重の用途によってそれらは調整される。【０００６】打ち込まれた支柱支持棒（１）の地上部分の外周には、装着孔を端部に有する棒状のまたはパイプ状の支柱本体（２）が装着される。
該支柱本体（２）は例えば合成樹脂パイプ、竹、丸または角の鋼パイプ（外周に樹脂被覆を設けることが望ましい）の必要な長さのものである。
支柱本体（２）の装着孔は支柱支持棒（１）の直径（但し孔が丸い場合）よりやや大きく装着可能な程度のものにする。
支柱本体（２）は支柱支持棒（１）に単に嵌着で装着してもよく、または図示の様にねじ等の固定手段（６）で支柱本体（２）の外周側面から支柱本体（２）を支柱支持棒（１）に抜けない様に固定してもよい。
以上の実施例に示した農業用等の支柱の施工方法及び使用方法を以下に説明する。【０００７】すなわち図１に示す様にまず支柱支持棒（１）をハンマー等で地面（９）に所定深さ打ち込み、その状態で支柱支持棒（１）の地上部分の外周に棒状のまたはパイプ状の支柱本体（２）を嵌着で装着し必要な場合には固定手段（６）で両者を固定する。
そのまま農業用等の支柱は単独で使用される場合もあるが、図２に示す様に複数の農業用等の支柱を施工してそれらの間にネット（８）を張って農業ネットとして使用してもよい。
また図示しないが農業用等の支柱を複数施工して柱とし、農業ハウスとして使用してもよい。
以上の農業用等の支柱は使用終了すれば、支柱本体（２）を上方に抜いて、支柱支持棒（１）を地面（９）から抜けばよい。
図３は本発明の農業用等の支柱をガーデニング、エクステリア等の園芸構造物の支柱として用いたものである。
すなわち該園芸構造物の支柱は角パイプ状の支柱本体（２）と丸棒の支柱支持棒（１）を有し、これらの複数の支柱本体（２）に支持されてアーチ状の接続部材（３）が固定されエクステリアのアーチ状の園芸構造物としたものである。
また接続部材（３）は別部材でなく支柱本体（２）と一体にしてもよく、その場合は特殊なアーチ状の支柱本体（２）ということになる。
また図４は本発明の農業用等の支柱を園芸構造物、建築土木構造物としての柵に用いたものである。
すなわち柵の支柱は底部に孔を有する柱状の支柱本体（２）が、鋼で作られ先端が尖った所定の厚さの板状の支柱支持棒（１）に嵌着により装着されたものである。
これらの複数の支柱本体（２）に支持されて柵としての接続部材（５）が固定され柵にされる。
また接続部材（５）は別部材でなく支柱本体（２）と一体にしてもよく、その場合は特殊な柵状の支柱本体（２）ということになる。
さらに図示しないが支柱本体（２）と支柱支持棒（１）を有し、これらの複数の支柱本体（２）に支持されて住宅フェンスを施工してもよい。
【発明の効果】
【０００８】本発明の農業用等の支柱の効果を次に列挙する。
１．本発明の農業用等の支柱は特に地面に打ち込まれる支柱支持棒と、該支柱支持棒の地上部分の外周に装着される装着孔を端部に有する棒状のまたはパイプ状の支柱本体とからなる農業用等の支柱であるため支柱支持棒を地面にハンマー等で打ち込むだけで施工作業が極めて容易である。
２．本発明の農業用等の支柱は特に地面に打ち込まれる支柱支持棒と、該支柱支持棒の地上部分の外周に装着される装着孔を端部に有する棒状のまたはパイプ状の支柱本体とからなる農業用等の支柱であるため、支柱支持棒の地上部分の外周に棒状のまたはパイプ状の支柱本体を装着するだけで施工作業が極めて容易である。
【図面の簡単な説明】
【０００９】
【図１】本発明の支柱の縦断面図
【図２】本発明の支柱の使用状態の正面図
【図３】本発明の支柱を用いた園芸構造物の正面図
【図４】本発明の支柱を用いた柵の正面図
【符号の説明】
【００１０】１        支柱支持棒
２        支柱本体
３        接続部材
４        野菜
５        接続部材
６        固定手段
８        ネット
９        地面
【図１】
2014008057.tif 000003
【図２】
2014008057.tif 000004
【図３】
2014008057.tif 000005
【図４】
2014008057.tif 000006
【手続補正書】
【提出日】平成25年5月20日(2013.5.20)
【手続補正１】
【補正対象書類名】明細書
【補正対象項目名】０００６
【補正方法】変更
【補正の内容】
【０００６】打ち込まれた支柱支持棒（１）の地上部分の外周には、装着孔を端部に有する棒状のまたはパイプ状の支柱本体（２）が地面（９）に接触する状態で装着される。
該支柱本体（２）は例えば合成樹脂パイプ、竹、丸または角の鋼パイプ（外周に樹脂被覆を設けることが望ましい）の必要な長さのものである。
支柱本体（２）の装着孔は支柱支持棒（１）の直径（但し孔が丸い場合）よりやや大きく装着可能な程度のものにする。
支柱本体（２）は支柱支持棒（１）に単に嵌着で装着してもよく、または図示の様にねじ等の固定手段（６）で支柱本体（２）の外周側面から支柱本体（２）を支柱支持棒（１）に抜けない様に固定してもよい。
以上の実施例に示した農業用等の支柱の施工方法及び使用方法を以下に説明する。
【手続補正２】
【補正対象書類名】明細書
【補正対象項目名】０００７
【補正方法】変更
【補正の内容】
【０００７】すなわち図１に示す様にまず支柱支持棒（１）をハンマー等で地面（９）に所定深さ打ち込み、その状態で支柱支持棒（１）の地上部分の外周に棒状のまたはパイプ状の支柱本体（２）を嵌着で地面（９）に接触する状態で装着し必要な場合には固定手段（６）で両者を固定する。
そのまま農業用等の支柱は単独で使用される場合もあるが、図２に示す様に複数の農業用等の支柱を施工してそれらの間にネット（８）を張って農業ネットとして使用してもよい。
また図示しないが農業用等の支柱を複数施工して柱とし、農業ハウスとして使用してもよい。
以上の農業用等の支柱は使用終了すれば、支柱本体（２）を上方に抜いて、支柱支持棒（１）を地面（９）から抜けばよい。
図３は本発明の農業用等の支柱をガーデニング、エクステリア等の園芸構造物の支柱として用いたものである。
すなわち該園芸構造物の支柱は角パイプ状の地面（９）に接触した状態の支柱本体（２）と丸棒の支柱支持棒（１）を有し、これらの複数の支柱本体（２）に支持されてアーチ状の接続部材（３）が固定されエクステリアのアーチ状の園芸構造物としたものである。
また接続部材（３）は別部材でなく支柱本体（２）と一体にしてもよく、その場合は特殊なアーチ状の支柱本体（２）ということになる。
また図４は本発明の農業用等の支柱を園芸構造物、建築土木構造物としての柵に用いたものである。
すなわち柵の支柱は底部に孔を有する柱状の支柱本体（２）が、鋼で作られ先端が尖った所定の厚さの板状の支柱支持棒（１）に嵌着により地面（９）に接触する状態で装着されたものである。
これらの複数の支柱本体（２）に支持されて柵としての接続部材（５）が固定され柵にされる。
また接続部材（５）は別部材でなく支柱本体（２）と一体にしてもよく、その場合は特殊な柵状の支柱本体（２）ということになる。
さらに図示しないが支柱本体（２）と支柱支持棒（１）を有し、これらの複数の支柱本体（２）に支持されて住宅フェンスを施工してもよい。
【手続補正３】
【補正対象書類名】特許請求の範囲
【補正対象項目名】全文
【補正方法】変更
【補正の内容】
【特許請求の範囲】
【請求項１】
地面に打ち込まれる支柱支持棒と、該支柱支持棒の地上部分の外周に地面に接触する状態で装着される装着孔を端部に有する棒状の支柱本体とからなる農業用等の支柱
【請求項２】
地面に打ち込まれる支柱支持棒と、該支柱支持棒の地上部分の外周に地面に接触する状態で装着される装着孔を端部に有するパイプ状の支柱本体とからなる農業用等の支柱
【請求項３】
請求項１または２の農業ネットの支柱
【請求項４】
請求項１または２の農業ハウスの支柱
【請求項５】
請求項１または２の園芸構造物の支柱
【請求項６】
請求項１または２の建築土木構造物の支柱